(57)【要約】  【課題】  しわになりにくい被服の衿及びカフス、並びにこれらを有する被服を提供する。  【解決手段】  ワイシャツ１における衿２の衿羽根部７は、下端部１５、左端部２２、右端部２３の三辺からなる縁１８を有し、縁１８に沿ってステッチ２１が施されている。衿羽根部７の内部には下端部１５に沿ってテープ１７（防しわ部材）が設けられており、下端部１５に半永久的なしわが生じることを防いでいる。ワイシャツ１におけるカフス３ａ，３ｂは、袖口部３５と開閉端部３７，３８からなる縁４０を有し、縁４０に沿ってステッチ３６が施されている。カフス３ａ，３ｂの内部には袖口部３５に沿ってテープ３３（防しわ部材）が設けられており、袖口部３５のステッチ３６の部分に半永久的しわが生じることを防いでいる。  【選択図】  図３
2005048322.tif 000002
【特許請求の範囲】
【請求項１】
衿羽根部を有する被服の衿において、前記衿羽根部は被服着用時において剣先から衿の開閉部分に渡る左端部及び右端部と、被服着用時において一方の剣先から首の後ろを経由して他方の剣先に渡る下端部を有し、前記衿羽根部は表布と裏布が重ねられた構造であり、前記表布と前記裏布の間に防しわ部材が設けられ、前記防しわ部材は衿羽根部の前記下端部の一部又は全部に沿って配置され、前記防しわ部材は少なくとも一部がテープ状であり、防しわ部材を貫通するように衿羽根部の下端部に沿ってステッチが施されていることを特徴とする衿。
【請求項２】
前記防しわ部材がテープ状であることを特徴とする請求項１に記載の衿。
【請求項３】
防しわ部材がさらに右端部及び／又は左端部の一部若しくは全部に沿って配置され、該防しわ部材は少なくとも一部がテープ状であり、防しわ部材を貫通するように衿羽根部の右端部及び／又は左端部に沿ってステッチが施されていることを特徴とする請求項１又は２に記載の衿。
【請求項４】
被服のカフスにおいて、前記カフスは先端部分で被服着用時において円形となる袖口部と、開閉部分で袖口部と直角に位置する開閉端部を有し、前記カフスは表布と裏布が重ねられた構造であり、前記表布と前記裏布の間に防しわ部材が設けられ、前記防しわ部材はカフスの前記袖口部の一部又は全部に沿って配置され、前記防しわ部材は少なくとも一部がテープ状であり、防しわ部材を貫通するようにカフスの袖口部に沿ってステッチが施されていることを特徴とするカフス。
【請求項５】
前記防しわ部材がテープ状であることを特徴とする請求項４に記載のカフス。
【請求項６】
防しわ部材がさらに開閉端部の一部又は全部に沿って配置され、該防しわ部材は少なくとも一部がテープ状であり、防しわ部材を貫通するようにカフスの開閉端部に沿ってステッチが施されていることを特徴とする請求項４又は５に記載のカフス。
【請求項７】
請求項１乃至３のいずれかに記載の衿及び／又は請求項４乃至６のいずれかに記載のカフスを有する被服。
【請求項８】
請求項１乃至３のいずれかに記載の衿及び／又は請求項４乃至６のいずれかに記載のカフスを有するワイシャツ。
【請求項９】
形状安定加工が施された請求項８に記載のワイシャツ。
【発明の詳細な説明】
【技術分野】
【０００１】
本発明は衿及びカフス、並びにそれらを有する被服に関し、さらに詳細には、洗濯等に起因する布地の波打ちが起こらず、しわになりにくい被服の衿及びカフス、並びにこれらを有する被服に関する。
【背景技術】
【０００２】
ワイシャツに代表される衿やカフスを有する被服においては、洗濯等を繰り返すことによって衿やカフスに半永久的なしわが生ずることが多い。この半永久的なしわは、特にステッチが施されている衿羽根部の下端部やカフスの袖口部において顕著に発生する。一般に、被服の衿羽根部やカフスは２枚以上の布地が重ねられて縫合されている。ところが、被服の洗濯を繰り返すと、これらの布地の収縮率の差によって衿羽根部やカフスのステッチ部分に段々の凸凹が生じて波打ち、その結果、半永久的なしわが発生する。衿羽根部やカフスのしわは、主にビジネスやフォーマルの場で着用されるワイシャツにおいて特に問題となる。即ち、ワイシャツの衿羽根部やカフスに発生したしわはよく目立ち、外観上、着用者が怠惰であるような印象を与えてしまう。これは、着用者に対する無用の誤解を招く恐れがあり、ビジネスやフォーマルの場において好ましくない。なお、布地の収縮により衿羽根部やカフスに生じた半永久的なしわは、アイロンをかけることによってある程度は軽減されるが、本質的には解消することができない。
【０００３】
収縮による衿のしわの発生を防止できる被服としては、例えば下記の特許文献１に記載されているものがある。下記の特許文献１に記載されている被服の衿は、衿足部の収縮を防ぐものである。即ち、特許文献１においては衿足部の組み立てに水溶性接着剤を用いており、洗濯後に衿足部の布地と芯材の接着がはずれてフリーな状態になり、布地の収縮率の違いを吸収する。その結果、衿足部には波打ちが起こらず、しわは発生しない。ただし、特許文献１に記載されている発明は衿足部に関するもので、衿羽根部に関するものではない。
【特許文献１】特開２０００−３０３２０２号公報
【０００４】
一方、近年急激に普及してきた形状安定加工による被服は、洗濯後も被服の形状が安定して復元し、アイロンをかけなくてもしわの発生が少ない。形状安定加工は、ワイシャツに好んで採用されている。しかし形状安定加工された被服であっても、収縮率の差により発生する衿羽根部やカフスの半永久的なしわは、形状安定加工されていない被服と同様に発生する。また形状安定加工の効果は高温にさらされると弱まり、アイロンがけは一般的に好ましくない。したがって、形状安定加工の効果を保持しつつ形状安定加工された衣服の衿やカフスに生じた収縮による半永久的なしわを消すことは、非常に困難である。
以上のように、洗濯等を繰り返しても収縮による半永久的なしわが生じない衿やカフスを有する被服が求められている。
【発明の開示】
【発明が解決しようとする課題】
【０００５】
本発明の目的は、洗濯等に起因する布地の波打ちが起こらず、しわになりにくい被服の衿及びカフス、並びにこれらを有する被服を提供することである。
【課題を解決するための手段】
【０００６】
上記した課題を解決するための請求項１に記載の発明は、衿羽根部を有する被服の衿において、前記衿羽根部は被服着用時において剣先から衿の開閉部分に渡る左端部及び右端部と、被服着用時において一方の剣先から首の後ろを経由して他方の剣先に渡る下端部を有し、前記衿羽根部は表布と裏布が重ねられた構造であり、前記表布と前記裏布の間に防しわ部材が設けられ、前記防しわ部材は衿羽根部の前記下端部の一部又は全部に沿って配置され、前記防しわ部材は少なくとも一部がテープ状であり、防しわ部材を貫通するように衿羽根部の下端部に沿ってステッチが施されていることを特徴とする衿である。
【０００７】
衿羽根部の下端部は、被服の着用時において正面と背面のいずれからもよく見える部分であるので、下端部にしわが生じた状態で被服を着用することは外観上好ましくない。しかし、衿羽根部の下端部を含む縁にはステッチが施されていることが通常であり、特にステッチと下端部の間に収縮による半永久的なしわが発生しやすい。本発明によれば、衿羽根部の下端部に防しわ部材が設けられている。そのため、洗濯等を繰り返しても衿羽根部の下端部に凸凹が発生して波打つことはなく、半永久的なしわが生じることはない。したがって、外観上、怠惰な印象を与えることはない。
【０００８】
本発明に使用される防しわ部材は、衿羽根部の表布と裏布の間に設けられるものである。そして防しわ部材は衿羽根部の下端部の一部又は全部に沿って配置されている。ここで、下端部の全部とは、一方の剣先から他方の剣先に渡る下端部の全てであり、そこに防しわ部材を設けると下端部の全ての部分においてしわを防止することができる。また下端部の一部とは、一方の剣先から他方の剣先に渡る下端部の一部であり、そこに防しわ材を設けると下端部の一部においてしわを防止することができる。下端部の一部に防しわ部材を設ける例としては、下端部の中央部分（被服着用時の背面部分）にのみ設ける例や、下端部の剣先に近い部分（被服着用時の正面部分）にのみ設ける例が挙げられる。
【０００９】
本発明に使用される防しわ部材の形状は、少なくとも一部がテープ状である。したがって、しわを防止すべき下端部のみに集中して防しわ部材を設けることができる。また、防しわ部材の製作方法としては、例えば、綿、ポリエステル、あるいは綿とポリエステルの混合繊維等からなる布地を切断して作製することができる。さらに、防しわ部材には永久接着芯加工が施されていてもよく、加工に使用される樹脂としては高密度ポリエチレン、ポリプロピレン等がある。また、衿羽根部の縁に配置する防しわ部材の個数は、１個でもよいし複数個でもよい。さらに複数個を重ねて使用してもよい。さらに、衿羽根部には表布、裏布以外に、さらに芯材等の別部材を設けてもよく、この場合は、別部材がない場合と同様に防しわ部材を表布上に接触させて設けてもよいし、表布には直接接触させずに別部材上に接触するように設けてもよい。また、防しわ部材は衿の補強等の別の機能を兼ねるものでもよい。本発明の衿は、レギュラー、ワイドスプレッド、ボタンダウン、ラウンド等のいずれの形状の衿にも適用することができる。
【００１０】
また請求項２に記載の発明は、前記防しわ部材がテープ状であることを特徴とする請求項１に記載の衿である。
【００１１】
本発明においては防しわ部材がテープ状であるので、しわを防止すべき下端部のみに集中して防しわ部材を設けることができ、且つ下端部に沿って設けることが容易である。なお、本発明においても、テープ状の防しわ部材は１本でもよいし、複数本を並べて配置してもよい。さらに、複数本を重ねて使用してもよい。
【００１２】
また請求項３に記載の発明は、防しわ部材がさらに右端部及び／又は左端部の一部若しくは全部に沿って配置され、該防しわ部材は少なくとも一部がテープ状であり、防しわ部材を貫通するように衿羽根部の右端部及び／又は左端部に沿ってステッチが施されていることを特徴とする請求項１又は２に記載の衿である。
【００１３】
本発明においては、下端部に加えさらに右端部あるいは左端部にも防しわ部材が設けられている。したがって、衿羽根部の全ての縁についてしわを防止することができ、外観上、怠惰な印象を与えることは全くない。
【００１４】
また請求項４に記載の発明は、被服のカフスにおいて、前記カフスは先端部分で被服着用時において円形となる袖口部と、開閉部分で袖口部と直角に位置する開閉端部を有し、前記カフスは表布と裏布が重ねられた構造であり、前記表布と前記裏布の間に防しわ部材が設けられ、前記防しわ部材はカフスの前記袖口部の一部又は全部に沿って配置され、前記防しわ部材は少なくとも一部がテープ状であり、防しわ部材を貫通するようにカフスの袖口部に沿ってステッチが施されていることを特徴とするカフスである。
【００１５】
カフスの袖口部は、衿羽根部の下端部と同様に被服の着用時においてよく見える部分であるので、袖口部にしわが生じた状態で被服を着用することは外観上好ましくない。しかし、カフスの袖口部を含む縁においてもステッチが施されていることが通常であり、特にステッチと袖口部の間に収縮による半永久的なしわが発生しやすい。本発明によれば、カフスの袖口部に防しわ部材が設けられている。そのため、洗濯等を繰り返してもカフスの袖口部に凸凹が発生して波打つことはなく、半永久的なしわが生じることはない。したがって、外観上、怠惰な印象を与えることはない。
【００１６】
本発明に使用される防しわ部材の形状は、少なくとも一部がテープ状である。したがって、しわを防止すべき袖口部のみに集中して防しわ部材を設けることができる。また、防しわ部材は、例えば、綿、ポリエステル、あるいは綿とポリエステルの混合繊維等からなる布地を切断して作製することができる。さらに、防しわ部材には永久接着芯加工が施されていてもよく、加工に使用される樹脂としては高密度ポリエチレン、ポリプロピレン等がある。また、カフスの縁に配置する防しわ部材の個数は、１個でもよいし複数個でもよい。さらに複数個を重ねて使用してもよい。さらに、カフスには表布、裏布以外に、さらに芯材等の別部材を設けてもよく、この場合は、別部材がない場合と同様に防しわ部材を表布上に接触させて設けてもよいし、表布には直接接触させずに別部材上に接触するように設けてもよい。また、防しわ部材はカフスの補強等の別の機能を兼ねるものでもよい。本発明のカフスは、シングル、コンパーティブル、テニス等のいずれの種類のカフスにも適用でき、さらにシングルにおいてはスクエア、ラウンド（大丸）、バレル（角落とし）のいずれの形状のカフスにも適用することができる。
【００１７】
また請求項５に記載の発明は、前記防しわ部材がテープ状であることを特徴とする請求項４に記載のカフスである。
【００１８】
本発明においては防しわ部材がテープ状であるので、しわを防止すべき袖口部のみに集中して防しわ部材を設けることができ、且つカフスの袖口部に沿って設けることが容易である。本発明においても、テープ状の防しわ部材は１本でもよいし、複数本を並べて配置してもよい。さらに、複数本を重ねて使用してもよい。
【００１９】
また請求項６に記載の発明は、防しわ部材がさらに開閉端部の一部又は全部に沿って配置され、該防しわ部材は少なくとも一部がテープ状であり、防しわ部材を貫通するようにカフスの開閉端部に沿ってステッチが施されていることを特徴とする請求項４又は５に記載のカフスある。
【００２０】
本発明においては、袖口部に加えさらに開閉端部にも防しわ部材が設けられている。したがって、カフスの全ての縁についてしわを防止することができ、外観上、怠惰な印象を与えることは全くない。
【００２１】
また請求項７に記載の発明は、請求項１乃至３のいずれかに記載の衿及び／又は請求項４乃至６のいずれかに記載のカフスを有する被服である。
【００２２】
本発明の被服によれば、衿やカフスに収縮による半永久的なしわが発生しないので、外観上、怠惰な印象を与えることがない。本発明の被服の例としては、ワイシャツが代表的であるが、その他にブラウス、カジュアルシャツ等が挙げられる。
【００２３】
また請求項８に記載の発明は、請求項１乃至３のいずれかに記載の衿及び／又は請求項４乃至６のいずれかに記載のカフスを有するワイシャツである。
【００２４】
主にビジネスやフォーマルの場で着用されるワイシャツにおいては、衿やカフスのしわは外観上特に好ましくない。本発明によれば、ワイシャツの衿羽根部やカフスに収縮による半永久的しわが生じないので、外観上、怠惰な印象を与えることはない。
【００２５】
また請求項９に記載の発明は、形状安定加工が施された請求項８に記載のワイシャツである。
【００２６】
形状安定加工が施されたワイシャツにおいても、収縮による半永久的しわは、形状安定加工が施されていないワイシャツと同様に発生する。また、形状安定加工は熱に弱いので、形状安定加工を施されたワイシャツにはアイロンをかけるべきではない。本発明のワイシャツによれば、収縮による半永久的しわが生じないのでアイロンをかける必要がない。従って、ワイシャツに施された形状安定加工の効果を弱めることはなく、好都合である。
【発明の効果】
【００２７】
本発明によれば、洗濯等に起因する布地の波打ちが起こらず、しわになりにくい被服の衿及びカフス、並びにこれらを有する被服が提供される。
【発明を実施するための最良の形態】
【００２８】
以下に、本発明を実施するための最良の形態について、図面を参照しながら説明する。図１は本発明の第１実施形態のワイシャツを表す正面図である。図２は図１のワイシャツの衿部を広げた状態における正面図である。図３は図１のワイシャツの衿部を表し、（ａ）は着用時における正面図であり、（ｂ）は着用時における背面図である。図４は図１のワイシャツの衿羽根部の半完成品を表し、（ａ）は平面図であり、（ｂ）は（ａ）のＡ−Ａ断面図である。図５は図１のワイシャツの衿羽根部の作製手順を表す図である。図６は図１のワイシャツの衿羽根部を表す一部切断平面図である。図７は図６のＡ−Ａ断面を模式的に表す一部切断斜視図である。図８は図６の衿羽根部の変形例を表す一部切断平面図である。図９は第２実施形態のワイシャツにおける衿羽根部を表す一部切断平面図である。図１０は図１のワイシャツの右手側のカフスを表す図であり、（ａ）は広げた状態を表す平面図で、（ｂ）は着用時の状態を表す斜視図である。図１１は図１のワイシャツのカフスの半完成品を表す平面図である。図１２は図１のカフスを表す一部切断平面図である。図１３は図１２のＡ−Ａ断面を模式的に表す一部切断斜視図である。図１４は図１２のカフスの変形例を表す一部切断平面図である。
【００２９】
図１に示す第１実施形態のワイシャツ１（被服）は、衿２と袖５ａ，５ｂを有し、袖５ａ，５ｂの先端にそれぞれカフス３ａ，３ｂを有する。
図２，図３（ａ），図３（ｂ）に示すように、衿２は、着用時に首の周りに位置して首に接触する衿足部６と、着用時に外から見える衿羽根部７とからなる。衿２の衿羽根部７はワイドスプレッド型のものである。また、衿羽根部７は内部に芯材等の補強部材が設けられていない「柔らかい」タイプのものである。衿羽根部７の内部にはテープ１７（防しわ部材）が設けられている。衿羽根部７は、下端部１５、左端部２２、右端部２３の三辺からなる縁１８を有し、縁１８に沿ってステッチ２１が施されている。なお、以下の図すべてにおいては、ステッチ２１，３６は１本の実線で示している。
【００３０】
次に、図４を参照しながら衿羽根部７の構造について説明する。図４に示すように、衿羽根部７の半完成品２５は、表布１０、ベース芯１２、、テープ１７（防しわ部材）が順に重ねられて貼付された構造である。表布１０は衿羽根部７の表面を構成するものであり、着用時に外から見える部材である。表布１０は左右対称で台形のような形状であり、上底５０、底辺（下底）５１、左辺５２、及び右辺５３を有する。表布１０の上底５０と底辺５１は緩やかな曲線である。表布１０は底辺５１の両端に完成後に剣先となる底角部２０ａ，２０ｂを有する。表布１０は綿とポリエステルの混合繊維により製されている。
【００３１】
ベース芯１２は表布１０の裏側全面に貼付されており、その形状は表布１０と略同一である。ベース芯１２は衿羽根部７の強度を高めるための部材であり、表布１０と同様の綿とポリエステルの混合繊維からなる布地を切断することによって製されている。ベース芯１２は、後述する衿羽根部７の作製過程において剣先部分を裏返しし易くするために、表布１０の底角部２０ａ，２０ｂに重なる部分が山形に切り込まれている。ベース芯１２にはテープ１７（防しわ部材）が貼付されている。テープ１７はその幅が８ｍｍ程度であり、表布１０の底辺５１から７ｍｍ程度の距離をおいて底辺５１に沿って貼付されている。テープ１７はベース芯１２と同様に綿とポリエステルの混合繊維からなる布地を切断することによって製されている。さらに、テープ１７には高密度ポリエチレンを樹脂として使用した永久接着芯加工が施されている。なお、テープ１７の材質は貼付するベース芯１２と同様の材質であれば、収縮率の差が小さくなるのでしわを防止する上で特に都合がよい。即ち、テープ１７の材質はベース芯１２の材質にあわせて適宜選択すればよく、綿とポリエステルの混合繊維に限定されるものではない。
【００３２】
衿羽根部７の完成品を作製する手順は以下のとおりである。まず、上記の半完成品２５の表布１０の表側（ベース芯１２が貼付されていない側）に表布１０とほぼ同一の形状である裏布１１を重ね、表布１０の底辺５１、左辺５２、及び右辺５３から５ｍｍ程度の距離を保ちながら底辺５１、左辺５２、及び右辺５３に沿って縫合する（図５（ａ））。このとき、上記したようにテープ１７は表布１０の底辺５１から７ｍｍ程度の距離をおいて貼付されているので、縫合部分２６はテープ１７の外側になり、テープ１７を貫通しない。次に、図５（ａ）の矢印のように表布１０と裏布１１の間から引っ張り出し、半完成品２５を裏返す( 図５（ｂ））。このとき、縫合位置が底辺５１から５ｍｍの距離であり、テープ１７の貼付位置が底辺５１から７ｍｍの距離であり、これらを裏返す際に表布１０とベース芯１２の厚みの分をこの２ｍｍの差（マージン) が吸収して、テープ１７は衿羽根部７の下端部１５にほぼ当接する位置に収まる。
【００３３】
さらに衿羽根部７の縁１８（下端部１５、左端部２２、右端部２３）にステッチ２１が施される（図５（ｃ））。ステッチ２１は衿羽根部７の縁１８から５ｍｍ程度の距離を保ちながら縁１８に沿って施される。このとき、ステッチ２１はテープ１７の上を縦断し、貫通する。即ち、テープ１７はステッチ２１によっても固定される。
【００３４】
なお、表布１０と裏布１１の縫合箇所は上記した例では底辺５１から５ｍｍの距離であったが、縫合箇所は衿羽根部のサイズや形によって適宜決定すればよく、底辺５１から４〜８ｍｍ程度の距離が一般的である。また、上記した例ではテープ１７は縫合箇所から２ｍｍのマージンをおいて貼付されていたが、マージンは表布１０およびベース芯１２の厚さによって適宜決定すればよく、一般的には表布１０とベース芯１２を合わせた厚さの２〜６倍、好ましくは４倍程度である。また、上記した例ではテープ１７の幅は８ｍｍであったが、テープ１７の幅は半完成品２５を裏返したときに底辺５１がテープ１７と重なることができる幅であればよく、一般的には縫合箇所の距離（一般的には４〜８ｍｍ）に表布１０とベース芯１２を合わせた厚さの１〜５倍の長さを加えた程度の値である。さらに、ステッチ２１の位置は上記した例では下端部１５から５ｍｍ程度の距離であったが、ステッチ２１の位置はテープ１７を縦断する距離であればよく、一般的にはテープ１７の幅の１／４〜３／４、好ましくは１／２程度である。
【００３５】
図６に衿羽根部７の完成品を示す。上記のようにして完成された衿羽根部７は、表側（着用時に外から見える側）から順に、表布１０、ベース芯１２、テープ１７、裏布１１が重なった構造を有している。そして、テープ１７は衿羽根部７の下端部１５にほぼ当接する位置に収まっている。さらに、衿羽根部７の下端部１５、左端部２２、右端部２３に沿ってステッチ２１が施されており、且つステッチ２１はテープ１７の上を縦断し、貫通している。
【００３６】
図７は図６のＡ−Ａ断面を模式的に表す一部切断斜視図である。なお、図７においては各部材の厚さや長さは任意のサイズで描いている。また表布１０と裏布１１を縫合した糸は省略している。図７に示すように、衿羽根部７の内部にはテープ１７（防しわ部材）が下端部１５にほぼ当接する位置に収まっており、ステッチ２１がその上を縦断し、貫通している。図７に示すＸはステッチ２１と下端部１５の間の部分で、特に半永久的なしわが生じやすい部分であるが、本実施形態においてはテープ１７がＸの部分に設けられているので、しわは生じない。
【００３７】
以上のように、本実施形態の衿羽根部７においては、下端部１５のステッチ２１を施した部分に防しわ部材であるテープ１７が設けられており、下端部１５に収縮による半永久的しわが生じることはない。
【００３８】
本実施形態においては、衿羽根部７の縁１８の一部である下端部１５にのみ防しわ部材であるテープ１７を設けたが、衿羽根部７の縁１８の全部に防しわ部材を設ける変形例も可能である。図８は図７に示した衿羽根部７の完成品の変形例であり、３つのテープ１７ａ，１７ｂ，１７ｃ（防しわ部材) が設けられている。テープ１７ａは図７に示したテープ１７と同様の位置に設けられている。テープ１７ｂ，１７ｃはそれぞれ左端部２２、右端部２３に沿って設けられている。即ち、衿羽根部７は、縁１８の全部である下端部１５、左端部２２、右端部２３にほぼ当接する位置にそれぞれテープ１７ａ，１７ｂ，１７ｃ（防しわ部材) が設けられている。本実施形態によれば、衿羽根部７の下端部１５、左端部２２、右端部２３の全てにおいて、収縮による半永久的しわが生じることはない。
【００３９】
上記した全ての実施形態における衿２の衿羽根部７は、内部に芯材等の補強部材が設けられていない「柔らかい」衿であった。以下に、内部に補強部材が設けられた「硬い」衿を有する第２実施形態のワイシャツについて、その衿羽根部の構造を説明する。なお、第２実施形態のワイシャツの外観は、第１実施形態のワイシャツと同様である。
【００４０】
図９は、第２実施形態のワイシャツ１（被服）における衿羽根部７の一部切断平面図である。図９に示すように、本実施形態における衿羽根部７の内部には、さらに補強部材である衿先ヒューズ１６ａ，１６ｂが設けられている。具体的に説明すると、衿羽根部７は表側（着用時に外から見える側）から順に、表布１０、ベース芯１２、テープ１７（防しわ部材）及び衿先ヒューズ１６ａ，１６ｂ、裏布１１が重なった構造である。即ち、ベース芯１２の上にはテープ１７、衿先ヒューズ１６ａ，１６ｂの３つの部材が重なることなく並べて配置され、ベース芯１２に貼付されている。そして、テープ１７の両端に衿先ヒューズ１６ａ，１６ｂがそれぞれ位置している。衿先ヒューズ１６ａ，１６ｂはテープ１７と同様に綿とポリエステルの混合繊維からなる布地を切断することによって製されている。そして、テープ１７は衿羽根部７の下端部１５の中央部分にほぼ当接する位置に収まっている。さらに、衿羽根部７の下端部１５、左端部２２、右端部２３に沿ってステッチ２１が施されており、且つステッチ２１はテープ１７の上を縦断し、貫通している。即ち、テープ１７はステッチ２１によっても固定されている。このように、本実施形態の衿羽根部７は、下端部１５の中央部分に防しわ部材であるテープ１７が設けられており、収縮による半永久的しわが生じることはない。なお、本実施形態においては衿先ヒューズ１６ａ，１６ｂがテープ１７と同様に、下端部１５、左端部２２、右端部２３にほぼ当接する位置に収まっており、衿先ヒューズ１６ａ，１６ｂもしわを防止する効果を有している。また、本実施形態における衿羽根部７の作製方法は上記した第１実施形態と同様である。
【００４１】
上記した第２実施形態の変形例としては、テープ１７と衿先ヒューズ１６ａ，１６ｂを一体にした形状の防しわ部材が挙げられる。本変形例は、一部がテープ状である防しわ部材の例である。
【００４２】
次に、図１に示した第１実施形態のワイシャツ１におけるカフス３ａ，３ｂについて説明する。なおカフス３ａ，３ｂは第２実施形態のワイシャツ１においても共通である。
図１０（ａ），図１０（ｂ）に示すように、右手側のカフス３ａは、袖口部３５と開閉端部３７，３８からなる縁４０を有する。袖口部３５は着用時に円形となる部分であり、開閉端部３７，３８は袖口部３５に対して直角に位置する部分である。カフス３ａ，３ｂはラウンド (大丸）型のもので、袖口部３５と開閉端部３７，３８が交わる角はいずれも丸く切られている。なお、左手のカフス３ｂは左右対称である以外はカフス３ａと同一形状である。
【００４３】
次に、図１１を参照しながらカフス３ａ，３ｂの構造について説明する。図１１に示すように、カフス３ａ，３ｂの半完成品４２は、表布３０、カフス芯３１、テープ３３（防しわ部材）が順に重ねられて貼付された構造である。表布３０はカフス３ａ，３ｂの表面を構成し、着用時に外から見える部材である。表布３０は長方形状であり、上辺６０、下辺６１、左辺６２、右辺６３を有する。そして、左辺６２と下辺６１、右辺６３と下辺６１からなる角は丸く切られている。表布３０は綿とポリエステルの混合繊維により製されている。カフス芯３１は表布３０の裏側全面に貼付されており、その形状は表布３０と略同一である。カフス芯３１はカフス３ａ，３ｂの強度を高めるための部材であり、表布３０と同様の綿とポリエステルの混合繊維からなる布地を切断することによって製されている。カフス芯３１の上にはテープ３３（防しわ部材) が貼付されている。テープ３３の幅は８ｍｍ程度であり、表布３０の下辺６１から７ｍｍ程度の距離を保ちながら、下辺６１に沿って貼付されている。テープ３３はカフス芯３１と同様に綿とポリエステルの混合繊維からなる布地を切断することによって製されている。さらに、テープ３３には高密度ポリエチレンを樹脂として使用した永久接着芯加工が施されている。なお、テープ３３の材質は貼付するカフス芯３１と同様の材質であれば、収縮率の差が小さくなるのでしわを防止する上で特に都合がよい。即ち、テープ３３の材質はカフス芯３１の材質にあわせて適宜選択すればよく、綿とポリエステルの混合繊維に限定されるものではない。
【００４４】
図１２にカフス３ａ，３ｂの完成品を示す。図１２に示すカフス３ａ，３ｂを作製する手順は上記した衿羽根部７と同様である。即ち、上記の半完成品４２の表布３０の表側（カフス芯３１が貼付されていない側）に表布３０とほぼ同一の形状である裏布３２を重ね、下辺６１、左辺６２、右辺６３から５ｍｍ程度の距離を保ちながら、下辺６１、左辺６２、右辺６３に沿って縫合する。このとき、上記したようにテープ３３は下辺６１から７ｍｍ程度の距離を保ちながら貼付されているので、縫合部分はテープ３３の外側になり、テープ３３を貫通しない。そして、表布３０と裏布３２の間から裏返す。このとき、テープ３３は、カフス３ａ，３ｂの袖口部３５にほぼ当接する位置に収まる。さらにカフス３ａ，３ｂの縁４０にはステッチ３６が施される。ステッチ３６はカフス３ａ，３ｂの縁４０から５ｍｍ程度の距離を保ちながら縁４０に沿って施される。このとき、ステッチ３６はテープ３３の上を縦断し、貫通する。即ち、テープ３３はステッチ３６によっても固定される
【００４５】
図１２に示すように、上記のようにして完成されたカフス３ａ，３ｂは、表側（着用時に外から見える側）から順に、表布３０、カフス芯３１、テープ３３、裏布３２が重なった構造を有している。そして、テープ３３はカフス３ａ，３ｂの袖口部３５にほぼ当接する位置に収まっている。さらに、カフス３ａ，３ｂの、開閉端部３７、袖口部３５、開閉端部３８に沿ってステッチ３６が施されており、且つステッチ３６はテープ３３の上を縦断している
【００４６】
図１３は図１２に示したカフス３ａ，３ｂのＡ−Ａ断面を模式的に表す一部切断斜視図である。なお、図１３においては各部材の厚さや長さは任意のサイズで描いている。また表布３０と裏布３２を縫合した糸は省略している。図１３に示すように、カフス３ａ，３ｂの内部にはテープ３３（防しわ部材）が袖口部３５にほぼ当接する位置に収まっており、ステッチ３６がその上を縦断し、貫通している。図１３に示すＹはステッチ３６と袖口部３５の間の部分で、特に半永久的なしわが生じやすい部分であるが、本実施形態においてはテープ３３があるのでＹにしわは生じない。
【００４７】
以上のように、本実施形態のカフス３ａ，３ｂは、ステッチ３６を施した袖口部３５に防しわ部材であるテープ３３が設けられており、収縮による半永久的しわが生じることはない。
【００４８】
上記したカフス３ａ，３ｂにおいては、カフス３ａ，３ｂの縁４０の一部、即ち袖口部３５にのみ防しわ部材であるテープ３３が設けられていたが、縁４０の全部にテープ３３を設けてもよい。図１４に示すカフス３ａ，３ｂの完成品は、３つの防しわ部材、テープ３３ａ，３３ｂ，３３ｃがそれぞれ袖口部３５、開閉端部３７、開閉端部３８に設けられている。テープ３３ａ，３３ｂ，３３ｃは、半完成品４２の段階において、表布３０の下辺６１、左辺６２、右辺６３から７ｍｍ程度の距離をおいて、下辺６１、左辺６２、右辺６３に沿って貼付されている。図１４に示すカフス３ａ，３ｂの完成品においては、テープ３３ａ，３３ｂ，３３ｃはそれぞれ袖口部３５、開閉端部３７、開閉端部３８にほぼ当接する位置に収まっており、半永久的しわが生じることを防止している。
【００４９】
なお、上記した全ての実施形態におけるワイシャツ１、又は衿羽根部７、カフス３ａ，３ｂにおいては、形状安定加工を施したものであってもよい。
【図面の簡単な説明】
【００５０】
【図１】図１は本発明の第１実施形態のワイシャツを表す正面図である。
【図２】図１のワイシャツの衿部を広げた状態における正面図である。
【図３】図１のワイシャツの衿部を表し、（ａ）は着用時における正面図であり、（ｂ）は着用時における背面図である。
【図４】図１のワイシャツの衿羽根部の半完成品を表し、（ａ）は平面図であり、（ｂ）は（ａ）のＡ−Ａ断面図である。
【図５】図１のワイシャツの衿羽根部の作製手順を表す図である。
【図６】図１のワイシャツの衿羽根部を表す一部切断平面図である。
【図７】図６のＡ−Ａ断面を模式的に表す一部切断斜視図である。
【図８】図６の衿羽根部の変形例を表す一部切断平面図である。
【図９】第２実施形態のワイシャツにおける衿羽根部を表す一部切断平面図である。
【図１０】図１のワイシャツの右手側のカフスを表す図であり、（ａ）は広げた状態を表す平面図で、（ｂ）は着用時の状態を表す斜視図である。
【図１１】図１のワイシャツのカフスの半完成品を表す平面図である。
【図１２】図１のカフスを表す一部切断平面図である。
【図１３】図１２のＡ−Ａ断面を模式的に表す一部切断斜視図である。
【図１４】図１２のカフスの変形例を表す一部切断平面図である。
【符号の説明】
【００５１】
１      ワイシャツ（被服）
２      衿
３ａ，３ｂ    カフス
７      衿羽根部
１０    表布
１１    裏布
１５    下端部
１７，１７ａ，１７ｂ，１７ｃ    テープ（防しわ部材)
２１    ステッチ
２２    左端部
２３    右端部
３０    表布
３２    裏布
３３，３３ａ，３３ｂ，３３ｃ    テープ（防しわ部材）
３５    袖口部
３６    ステッチ
３７    開閉端部
３８    開閉端部
【図１】
2005048322.tif 000003
【図２】
2005048322.tif 000004
【図３】
2005048322.tif 000005
【図４】
2005048322.tif 000006
【図５】
2005048322.tif 000007
【図６】
2005048322.tif 000008
【図７】
2005048322.tif 000009
【図８】
2005048322.tif 000010
【図９】
2005048322.tif 000011
【図１０】
2005048322.tif 000012
【図１１】
2005048322.tif 000013
【図１２】
2005048322.tif 000014
【図１３】
2005048322.tif 000015
【図１４】
2005048322.tif 000016